(57)【要約】【課題】  従来の紐付きクラッカーと同等の形状を有し、かつ、火薬を用いないクラッカーを提供することを目的とする。【解決手段】  円錐状のクラッカー本体と、前記クラッカー本体の内部に固定される円筒部材と、前記円筒部材の一方の開口を覆っている伸縮フィルムと、前記伸縮フィルムを通り、前記クラッカー本体の外に出ている紐と、前記クラッカー本体の内部にある紐の端部に備わっている係止部材と、前記クラッカー本体の内部に配置される巻テープとを含む、クラッカー。【選択図】図１
2019058219.tif 000002
【特許請求の範囲】
【請求項１】
円錐状のクラッカー本体と、
前記クラッカー本体の内部に固定される円筒部材と、
前記円筒部材の一方の開口を覆っている伸縮フィルムと、
前記伸縮フィルムを通り、前記クラッカー本体の外に出ている紐と、
前記クラッカー本体の内部にある紐の端部に備わっている係止部材と、
前記クラッカー本体の内部に配置される巻テープとを含む、クラッカー。
【請求項２】
前記伸縮フィルム上に配置される押出補助部材をさらに含む、請求項１に記載のクラッカー。
【請求項３】
巻テープを支持する円盤状の支持体をさらに含む、請求項１又は２に記載のクラッカー。
【発明の詳細な説明】
【技術分野】
【０００１】
本発明は、誕生日パーティー、結婚パーティーなどのお祝いの席で用いられるクラッカーに関する。
【背景技術】
【０００２】
従来から、パーティーなどのお祝いの席で、その場を盛り上げるためにクラッカーが用いられている。一般的には紙製の円錐形のクラッカー本体に適量の火薬をテープなどと共に封入し、火薬に付けられているひもを引くと、摩擦により火薬が引火・暴発し、祝音をあげると共にクラッカー底面から封入されたテープ等を放出するようになっている。
【０００３】
このような従来の火薬を用いるクラッカーは、火薬暴発の煙で火災報知機が動作してしまう恐れから、劇場や結婚式場ではクラッカー使用禁止の場所が多く、また火薬臭もするため、場合によっては使用が避けられてきた。
【０００４】
上記のような欠点から、近年では火薬を用いないクラッカーが考案されてきている。特許文献１には火薬を使わないエアークラッカーの技術開示が為されている。これは通常の空気を袋に封入し、これを人間の手が握り潰す圧力によって空気袋と一体的に連続形成された飛散体収容部に収容された紙テープのような収容物を放出するという考案である。確かに火薬を使わないため危険性は少ないが、大変小規模で、従来の火薬使用のクラッカーのような場を盛り上げるための派手さを期待することはできない。
【０００５】
同じく火薬を用いないクラッカーとして、特許文献２においては、圧縮ガスを封入したガス容器をコイルバネで付勢した穿孔突起により穿孔して圧縮ガスを放出させ、この放出圧力により放出物を放出する技術開示が為されている。ガス容器中の圧縮圧を高めることにより火薬使用クラッカーと同等以上の放出力を持たせることができるとする技術的思想であるが、圧縮ガスとして引火の危険や人体への悪影響がないものを使用しなければならないこと、傷による暴発の危険がない運搬、保存方法が必要なこと等の制約がある。
【０００６】
さらに、特許文献３においては、汎用の空気ポンプを用いるクラッカーが開示されているが、今までのクラッカーと形状が異なり、持ち運びに不便である。
【先行技術文献】
【特許文献】
【０００７】
【特許文献１】特開２００６−７１２５６号公報
【特許文献２】特許第４３３５２３９号公報
【特許文献３】特開２０１２−１７７４９１号公報
【発明の概要】
【発明が解決しようとする課題】
【０００８】
本発明は、従来の紐付きクラッカーと同等の形状を有し、かつ、火薬を用いないクラッカーを提供することを目的とする。
【課題を解決するための手段】
【０００９】
本発明者は、鋭意研究を重ねた結果、本発明に到達した。すなわち、本発明の１つは、円錐状のクラッカー本体と、前記クラッカー本体の内部に固定される円筒部材と、前記円筒部材の一方の開口を覆っている伸縮フィルムと、前記伸縮フィルムを通り、前記クラッカー本体の外に出ている紐と、前記クラッカー本体の内部にある紐の端部に備わっている係止部材と、前記クラッカー本体の内部に配置される巻テープとを含む、クラッカーである。
【発明の効果】
【００１０】
本発明のクラッカーは、従来の紐付きクラッカーと同等の形状を有し、かつ、火薬を用いないクラッカーである。火薬を用いないため、暴発の心配はなく、比較的安全である。また、パーティー会場内でも、火薬臭がすることがないため快適に食事をすることができる。
【図面の簡単な説明】
【００１１】
【図１】図１は、実施例のクラッカー１の断面図である。
【図２】図２は、実施例のクラッカー１において、紐４を引っ張ったときの状態を示す断面図である。
【図３】図３は、紐４を引っ張ることによって伸縮フィルム７が破れて、係止部材５が伸縮フィルム７から抜けた直後、伸縮フィルム７及び押出補助部材８が、支持部９に勢いよく衝突し、巻テープ１０がクラッカー本体２の外部に放出される状態を示す実施例のクラッカー１の断面図である。
【図４】図４は、実施例のクラッカー１の分解図である。
【発明を実施するための形態】
【００１２】
以下、実施例を示し、本発明をより具体的に説明するが、本発明は実施例に限定されるものではない。
【実施例】
【００１３】
［構成］
本発明の実施例を図１、図４（分解図）に示す。本実施例のクラッカーは、円錐状のクラッカー本体２と、前記クラッカー本体２の内部に固定される円筒部材６と、円筒部材６の一方の開口６１を覆っている伸縮フィルム７と、伸縮フィルム７を通り、クラッカー本体２の外に出ている紐４と、クラッカー本体２の内部にある紐の端部４２に備わっている係止部材５と、クラッカー本体２の内部に配置される巻テープ１０，１０とを含む、クラッカーである。
【００１４】
本実施例のクラッカー１のクラッカー本体２は、従来から用いられている円錐の形状を有する。本明細書において、円錐状クラッカー本体２の先がとがっている方を先端２１とし、その反対側を底面２２とする。クラッカー本体２において頂点２１からは内部から紐４が出ている。そのため、紐４の一方の端部４２は内部にあり、反対の端部４１は、クラッカー本体２の外にある。また、クラッカー本体２の円錐の底面２２側には、クラッカー本体２の内部を隠すように、円盤状の蓋３が設けられている。
【００１５】
クラッカー本体２の内部には、円筒形状を有する円筒部材６が備わっている。円筒部材６は、筒状であり、２つの開口を有する。円筒部材６は、クッカー本体２の内部に固定されている。クラッカー本体２の頂点２１と蓋３の中心とを結ぶ線上に、円筒部材６の一方の開口６１の中心が位置するように、円筒部材６を配置する。
【００１６】
円筒部材６の蓋３に近い方の開口６１には、伸縮フィルム７が開口６１を覆うように配置されている。伸縮フィルム７は、伸縮性の材料であれば特に限定されるものではないが、ゴムや伸縮性樹脂等を用いることができる。
【００１７】
円筒部材６の円状の開口６１の中心部分には、伸縮フィルム７に穴７１が設けられている。穴７１には、紐４が通っている。穴７１は、紐４の断面の直径よりも大きく、かつ、後述する係止部材５の直径よりも小さい直径を有する。例えば、直径１ｍｍ程度である。
【００１８】
クラッカー本体２の内部において紐４の端部４２には、係止部材５が接続されている。係止部材５は、クラッカー本体２の外側に出ている紐４を底面２２から頂点２１の方向へ引っ張ったときに、紐４の端部４２が伸縮フィルム７から容易に抜け落ちないようにするための部材である。係止部材５は、紐４を引っ張った場合であっても、穴７１からすり抜けない程度の大きさであればよい。形状は限定されるものではないが、実施例では高さの小さい円柱状の形状である。実施例の円柱状の係止部材５の直径は１２〜１５ｍｍであり、高さが１ｍｍ〜３ｍｍである。係止部材５の材料は特に限定されず、樹脂、木材、金属などを用いることができる。
【００１９】
クラッカー本体２の内部において、係止部材５を覆うように、瓶キャップの形状を有する押出補助部材８が配置されている。押出補助部材８は、伸縮フィルム７上に、瓶キャップをかぶせるように、配置されている。押出補助部材８は、クラッカー本体２から放出される巻テープ１０，１０等を効果的に押し出し、クラッカー本体２の外部へ放出しやすくするためのものである。また、押出補助部材８は、巻テープ１０，１０などが穴７１から先端２１側へ落ちないようにするための機能を有する。押出補助部材８は、伸縮フィルム７に固定されていてもよいし、固定せず単に配置するだけであってもよい。押出補助部材８の瓶キャップ形状の底面の中心がクラッカー本体２の頂点２１と蓋３の中心とを結ぶ線上に位置するように配置されていることが好ましい。
【００２０】
押出補助部材８の蓋３側には、支持部９が配置される。支持部９は、円盤状の薄い板である。支持部９は、巻テープ１０，１０を支持するものであり、支持部９の外周は、クラッカー本体２の内面に接しているが、接着しないで配置する。支持部９があることにより、巻テープ１０，１０が放出されるとき、巻テープ１０，１０全体を押し出すことができる。
【００２１】
［作用］
クラッカー１の作用について説明する。図１は、クラッカー１の使用前の状態である。伸縮フィルム７は、円筒部材６の開口６１において、皺なく張られている。
【００２２】
図２は、クラッカー本体２の外側に出ている紐４をクラッカー本体２の底面２２から頂点２１に向かう方向に引っ張った状態である。伸縮フィルム７が紐４に引っ張られて、伸縮フィルム７の中心が、先端２１に向かって伸びている。このとき、係止部材５があることにより、紐４は、容易に伸縮フィルム７から抜けない。
【００２３】
図３は、伸縮フィルム７が破断し、巻テープ１０，１０が外に放出される状態を示す断面図である。紐４を引っ張る力が、伸縮フィルム７の引っ張り強度を超えたとき、伸縮フィルム７は破断する。破断の際に、クラッカー特有の大きな音が出る。
【００２４】
また、図３でも示されるように、伸縮フィルム７が破れた瞬間に、引っ張られていた反動で、伸縮フィルム７がクラッカー本体２の先端２１から底面２２方向に、押出補助部材８に対して激しく衝突し、衝突した押出補助部材８は、支持部材９に衝突し、支持部材９が巻テープ１０，１０を押し出し、クラッカー本体２の外へ放出する。
【００２５】
［効果］
以下、本実施例の効果について説明する。
［１］円錐状のクラッカー本体２と、クラッカー本体２の内部に固定される円筒部材６と、前記円筒部材６の一方の開口６１を覆っている伸縮フィルム７と、伸縮フィルム７を通り、クラッカー本体２の外に出ている紐４と、クラッカー本体２の内部にある紐の端部４２に備わっている係止部材５と、クラッカー本体２の内部に配置される巻テープ１０，１０とを含む、クラッカーは、従来の紐付きクラッカーと同等の形状を有し、かつ、火薬を用いないクラッカーである。火薬を用いないため、暴発の心配はなく、比較的安全である。また、パーティー会場内でも、火薬臭がすることがないため快適に食事をすることができる。
【００２６】
［２］前記［１］において、前記伸縮フィルム７上に配置される押出補助部材８をさらに含む場合は、クラッカー本体２の内部の巻テープ１０，１０などを放出しやすくし、適切な飛距離を出すことができる。また、押出補助部材８があることで、内部の巻テープ１０，１０が、穴７１から頂点２１側に落ちることがない。
【００２７】
［３］前記［１］又は［２］において、前記巻テープ１０，１０を支持する円盤状の支持体９をさらに含む場合は、押出補助部材８によって衝突した衝撃を巻テープ１０，１０全体に伝えることができる。これにより、クラッカー本体２の内部において、円錐の高さ方向に垂直な断面（円形）の中心から離れた位置に巻テープ１０，１０が位置したとしても、適切に衝撃が伝わり、巻テープ１０，１０を遠くに放出することができる。
【符号の説明】
【００２８】
１    クラッカー
２    クラッカー本体
３    蓋
４    紐
５    係止部材
６    円筒部材
７    伸縮フィルム
８    押出補助部材
９    支持部材
１０  巻テープ
【図１】
2019058219.tif 000003
【図２】
2019058219.tif 000004
【図３】
2019058219.tif 000005
【図４】
2019058219.tif 000006
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
円錐状のクラッカー本体と、
前記クラッカー本体の内部に固定される円筒部材と、
前記円筒部材の一方の開口を覆っている伸縮フィルムと、
前記伸縮フィルムを通り、前記クラッカー本体の外に出ている紐と、
前記クラッカー本体の内部にある紐の端部に備わっている係止部材と、
前記クラッカー本体の内部に配置される巻テープと、
前記伸縮フィルム上に配置される押出補助部材とを含む、クラッカー。
【請求項２】
巻テープを支持する円盤状の支持体をさらに含む、請求項１に記載のクラッカー。